(57)【特許請求の範囲】
【請求項１】
送信信号、受信信号を変復調するディジタル信号処理装置（以下、ＤＳＰ）と、
電話回線と前記ＤＳＰとを結合するものであって、前記ＤＳＰと接続されるディジタルインターフェース、変復調の為のアナログ/ディジタル変換及びディジタル／アナログ、及び網制御を行う半導体データアクセス装置（以下、半導体ＤＡＡ）と、
ファクシミリ装置全体の制御を行うホストＣＰＵと、
ファクシミリ装置の省電力動作を制御する省電力制御部と、を有し
ファクシミリ装置の省電力動作時には、前記半導体ＤＡＡのディジタルインターフェースの接続を前記ＤＳＰから前記省電力制御部に切替え、且つ前記ＤＳＰの動作を停止または抑制する事を特徴とするファクシミリ装置。
【請求項２】
送信信号、受信信号を変復調するＤＳＰと、
電話回線と前記ＤＳＰとを結合するものであって、前記ＤＳＰと接続されるディジタルインターフェース手段、変復調の為のアナログ/ディジタル変換器及びディジタル／アナログ変換器、及び網制御機構、通信信号をモニタするためのアナログ出力端子を持つ半導体ＤＡＡと、
前記アナログ出力端子のアナログ出力を二値化するコンパレータと、
前記コンパレータで二値化された信号の周波数を検知する周波数カウンタを持ち、ファクシミリの省電力動作を制御する省電力制御部と、
ファクシミリ装置全体の制御を行うホストＣＰＵと、を有し、
省電力動作時には変復調用のＤＳＰを用いずに、通信網の着呼検出制御を行う事を特徴とするファクシミリ装置。
【請求項３】
送信信号、受信信号を変復調するＤＳＰと、
電話回線と前記ＤＳＰとを結合するものであって、前記ＤＳＰと接続されるディジタルインターフェース手段、変復調の為のアナログ/ディジタル変換器及びディジタル／アナログ変換器、及び網制御機構、通信信号をモニタするためのアナログ出力端子、通信信号をモニタするアナログ信号を予め定められた閾値にて２値化し出力するディジタル出力端子、を持つ半導体ＤＡＡと、
前記ディジタル出力端子からの二値化された信号の周波数を検知する周波数カウンタを持ち、ファクシミリの省電力動作を制御する省電力制御部と、
ファクシミリ装置全体の制御を行うホストＣＰＵと、を有し、
省電力動作時には変復調用のＤＳＰを用いずに、通信網の着呼検出制御を行う事を特徴とするファクシミリ装置。
【発明の詳細な説明】
【０００１】
【発明の属する技術分野】
本発明は、待機状態では消費電力を節減することが可能な省エネルギー機能を持つファクシミリ装置に関する。
【０００２】
【従来の技術】
ファクシミリ装置では、環境に対する配慮から、その消費電力を低減する事が強く求められている。とくにオペレータによる操作が無く、回線からの着信を待っているだけの待機状態では、オペレータ操作や回線からの着信を監視する機能以外の回路動作を抑制する事により、不要な電力消費を抑える等が行われる。
【０００３】
特に、変復調処理を担うモデムのディジタル信号処理装置（以下、ＤＳＰ、という）は、高速の信号処理を行う為に、その動作時の消費電力は小さくない為、ファクシミリの待機状態では、モデムへの電源供給を行わない、あるいは低消費電力動作へ移行させる等が行われる。
【０００４】
図４は、従来の省エネルギー機能を持つファクシミリ装置の構成を示す図である。図４に於いて、ファクシミリ装置は、ＣＰＵ４０１，プログラムＲＯＭ（ＰＲＯＧＲＯＭ）４０２、データＲＡＭ（ＤＡＴＥＲＡＭ）４０３，操作部４０４，読み取り部４０５、書き込み部４０６，圧縮伸張部４０７，モデムディジタル信号処理装置（モデムＤＳＰ）４０８，モデムアナログフロントエンド（モデムＡＦＥ）４０９，Ｉ／Ｏポート４１０，省電力動作制御部４１１、２値化回路４１２，モニタスピーカ駆動回路４１３，及び電話回線とモデムとの間でインターフェースするデータアクセス装置（ＤＡＡ）４２０から構成されている。
【０００５】
図４では、ＤＡＡ４２０は電話回線とファクシミリ装置とのインターフェース（Ｉ/Ｆ）を担う部分であり、電話回線に接続される。ＤＡＡ４２０では、回線からの着呼検出、電話回線へ発呼処理等の網制御機能と、電話回線と授受するアナログ信号を、モデム４０９，４０８やＩＯポート４１０とアイソレートして 接続するという、二つの機能を担っている。この為にＤＡＡはモデムとＩＯポートの双方に接続される。
【０００６】
このＤＡＡ４２０は、電話回線に接続される一次側回路と、モデムに接続される二次側回路と、フォトカプラリレー等と、ハイインピーダンス終端と、一次側と二次側とを絶縁して信号を授受するための絶縁変成器から構成されている。
【０００７】
ファクシミリ装置が省電力動作に移行する場合には、ＣＰＵ４０１が省電力動作制御部４１１に指示し、モデムＤＳＰ４０８、モデムＡＦＥ４０９、を含む省電力動作時に電力供給の不要な回路への電源供給を止め、ファクシミリ装置全体の消費電力を低減させる。この際、省電力動作制御部４１１で必要とする信号が接続されるＩＯポート４１０や操作部４０４は、最小限の電力で動作を継続している。
【０００８】
省電力動作状態で、電話回線からの着信があった場合には、ＤＡＡ４２０から、直接接続されたＩＯポート４１０に着信信号が供給され、ＩＯポート４１０を介して省電力制御部４１１が着信を検知、確認する。省電力制御部４１１の着信確認に応答して、ＣＰＵ４０１に対して割込みが発生され、ＣＰＵ４０１がファクシミリ装置全体を通常動作へ復帰させる。
【０００９】
ところで、日本国内向けのファクシミリに固有の機能として、ファクシミリ通信網（Ｆ網）からの１３００Ｈｚのトーン信号による着呼検出がある。この１３００Ｈｚのトーン信号は、大きな振幅の通常のリング信号とは異なり、電送される信号レベルとほぼ等しいレベルで送出される。１３００Ｈｚのトーン信号検出を簡便な手段で行う場合には、しばしば誤検出をする場合があった。
【００１０】
例えば、モデムのトーン検出機能の多くは、狭帯域のフィルタによる方式であるが、この方式は１３００Ｈｚの成分を含むノイズが回線上に重畳されている場合には、誤検出を発生しやすい。そのためモデムを用いた場合には、図４の例ではＣＰＵ４０１にて冗長処理を行い、１３００Ｈｚの信号が一定時間連続して検出した場合にのみ検出と判定している。
【００１１】
又、ファクシミリでは、回線を閉結していない状態（終端していない状態）で、インピーダンスの高いトランスにより常時回線上の信号を監視し、１３００Ｈｚのトーン信号の検出を行う。ところが終端していない回線上の信号には、さまざまなノイズが重畳されているため、ＩＯポート４１０の周波数カウンタの様に、モデム以外の手段で１３００Ｈｚの検出を行っていた。
【００１２】
このように構成されるファクシミリ装置に於いて、電話回線とファクシミリ装置とのインターフェース（Ｉ/Ｆ）を担うＤＡＡ４２０は必須の構成部であるが、一次側と二次側とを絶縁して信号を授受するために、比較的大きな形状の絶縁変成器が必要とされるから、ファクシミリ装置の小型化を阻む要因のひとつとなっていた。
【００１３】
ところで、インターネット、ディジタル携帯電話等のデータ通信が普及するに伴い、携帯端末、小型端末等の通信装置の小型化が進んでいる。そして、ファクシミリ装置と同様に、公衆電話回線に接続する通信装置では、回線との接続に比較的大きな形状のトランスが必要であった。しかし最近では、半導体技術、アイソレーション技術が進み、従来のトランスの機能を半導体素子等によって代用するデバイスが登場し、普及しつつある。例えば特開平６−９８０３８は、従来の大型のトランスに代り、集積化されたアナログ回路と従来のトランスより極めて小型なパルストランスにより、ＤＡＡを構成している。このほかの例としては、パルストランスではなく、コンデンサと半導体によるアイソレーション技術で同様な機能を実現したものもある（特開平９−１１６６４２号公報を参照）。
【００１４】
これら半導体素子を用いたＤＡＡは、半導体デバイスプロセスの進歩により、将来、一層の低コスト化が見込まれ、さらに機能を実現する為の部品点数削減、基板面積の縮小等により、例えばファクシミリのように携帯端末ではない通信装置に採用した場合にも、装置の低コスト化を実現する事が可能となる。
【００１５】
これらの半導体素子で構成されたＤＡＡを用いた従来のファクシミリ装置の構成を図５に示す。図５に於いて、ファクシミリ装置は、ＣＰＵ５０１，ＰＲＯＧＡＭ  ＲＯＭ４０２、ＤＡＴＥ  ＲＡＭ４０３，操作部４０４，モデムＤＳＰ５０８、省電力動作制御部５１１、及び電話回線とモデムＤＳＰ５０８との間でインターフェースする半導体ＤＡＡ５２０から構成されている。
【００１６】
このＤＡＡ５２０は、電話回線に接続される一次側回路と、二次側回路とからなり、一次側回路には網制御監視回路が設けられ、二次側回路にはモデムＡＦＥが設けられ、従来のトランスの機能を半導体素子等によって代替して構成されている。ここで示す半導体ＤＡＡの代表的な例では、装置側への接続はモデムＤＳＰとのディジタルＩ/Ｆのみを介して接続されている。このディジタルＩ/Ｆは、例えば汎用的なＣＯＤＥＣに用いられるシリアルＩ/Ｆである。変復調信号のアナログ/ディジタル変換、およびディジタル/アナログ変換を担うＡＦＥのディジタル信号と共に、従来のＤＡＡが担っていた網制御指示・網監視状態の信号が、このシリアルＩ/Ｆ経由で授受される。モデムＤＳＰには、、網制御指示・網監視状態の信号をＣＰＵに受け渡す機能が、本来の変復調データ処理に追加される。ＤＳＰ５０８が網制御指示・網監視状態の信号をＣＰＵ５０１と授受する手段としてＣＰＵバスを使用している。
【００１７】
【発明が解決しようとする課題】
この図５の例では、図４との対比より明らかなように、モデムＤＳＰ５０８が動作していない場合には、網監視信号をＣＰＵ５０１に受け渡す事ができない。したがって、電話回線からの着信を検知する事ができないから、省電力動作時においてもモデムＤＳＰ５０８を動作させておく必要がある。
【００１８】
このように、半導体ＤＡＡ５２０を用いたモデムをファクシミリに用いた場合には、外部からの着信はモデムＤＳＰとディジタルＩ/Ｆを介して通知されるため、省電力動作時にもＤＳＰを動作させておく必要があり、ファクシミリ装置の消費電力が従来のＤＡＡを用いた場合より大きくなってしまうと言う不具合がある。
【００１９】
また、半導体ＤＡＡ５２０では、その設定により、回線を閉結せずに高いインピーダンスで回線上の信号検出を行えるのが通例である。ところがファクシミリ装置が、図５のように半導体ＤＡＡ５２０を搭載し、なおかつ省電力動作を行った場合には、例えモデムＤＳＰ５０８を通常動作させていても、ＣＰＵの動作は抑制あるいは制限されているため、上記の図５について説明したような１３００Ｈｚのトーン信号の誤検出を回避する手段は極めて限定される。この様な構成で、省電力動作中に１３００Ｈｚのトーン検出信号の誤検出が発生すれば、ファクシミリ装置が応答してしまう為に、省電力動作を中断する事になり、電力を有効に抑制する事ができなくなる。この様に、トーン信号の誤検出による不具合は、１３００Ｈｚの信号の誤検出において顕著であるが、ファクシミリ通信で用いられる他の周波数のトーン信号についても、誤検出の可能性が少ない方式が望ましいことは言うまでもない。
【００２０】
そこで、本発明では、省電力動作時の電力消費を抑えつつ、安価な半導体ＤＡＡを搭載した低コストのファクシミリを提供することを目的とする。
【００２１】
又、着呼検出用トーン信号の誤検出を低減する事により、装置の省電力動作時の電力消費を抑え、安価な半導体ＤＡＡを採用した低コストのファクシミリを提供する事を目的とする。
【００２２】
又、着呼検出用トーン信号の検出について最適な構成の半導体ＤＡＡを供給し、低電力動作を含めたファクシミリ装置のコストを低減することを目的とする。
【００２３】
【発明を解決するための手段】
本発明の請求項１記載のファクシミリ装置は、送信信号、受信信号を変復調するディジタル信号処理装置（以下、ＤＳＰ）と、電話回線と前記ＤＳＰとを結合するものであって、前記ＤＳＰと接続されるディジタルインターフェース、変復調の為のアナログ/ディジタル変換及びディジタル／アナログ、及び網制御を行う半導体データアクセス装置（以下、半導体ＤＡＡ）と、ファクシミリ装置全体の制御を行うホストＣＰＵと、ファクシミリ装置の省電力動作を制御する省電力制御部と、を有しファクシミリ装置の省電力動作時には、前記半導体ＤＡＡのディジタルインターフェースの接続を前記ＤＳＰから前記省電力制御部に切替え、且つ前記ＤＳＰの動作を停止または抑制する事を特徴とする。
【００２４】
請求項１のファクシミリ装置では、省電力動作時には半導体ＤＡＡからの信号をモデムＤＳＰではなく、省電力動作制御部で監視するので、省電力動作時にモデムＤＳＰの電力を抑制することができ、安価な半導体ＤＡＡを用いてファクシミリ装置のコストを低減させる事ができる。
【００２５】
本発明の請求項２記載のファクシミリ装置は、送信信号、受信信号を変復調するＤＳＰと、電話回線と前記ＤＳＰとを結合するものであって、前記ＤＳＰと接続されるディジタルインターフェース手段、変復調の為のアナログ/ディジタル変換器及びディジタル／アナログ変換器、及び網制御機構、通信信号をモニタするためのアナログ出力端子を持つ半導体ＤＡＡと、前記アナログ出力端子のアナログ出力を二値化するコンパレータと、前記コンパレータで二値化された信号の周波数を検知する周波数カウンタを持ち、ファクシミリの省電力動作を制御する省電力制御部と、ファクシミリ装置全体の制御を行うホストＣＰＵと、を有し、省電力動作時には変復調用のＤＳＰを用いずに、通信網の着呼検出制御を行う事を特徴とする。
【００２６】
請求項２のファクシミリ装置では、回線モニタ用のアナログ信号出力を用いてトーンの検出を行う為に、低電力動作時にモデムＤＳＰの動作が抑制されていても、誤検出の無いトーン検出、とりわけファクシミリ通信網の１３００Ｈｚの着信検出を行う事ができ、安価な半導体ＤＡＡを用いてファクシミリ装置のコストを低減させる事ができる。
【００２７】
本発明の請求項３記載のファクシミリ装置は、送信信号、受信信号を変復調するＤＳＰと、電話回線と前記ＤＳＰとを結合するものであって、前記ＤＳＰと接続されるディジタルインターフェース手段、変復調の為のアナログ/ディジタル変換器及びディジタル／アナログ変換器、及び網制御機構、通信信号をモニタするためのアナログ出力端子、通信信号をモニタするアナログ信号を予め定められた閾値にて２値化し出力するディジタル出力端子、を持つ半導体ＤＡＡと、前記ディジタル出力端子からの二値化された信号の周波数を検知する周波数カウンタを持ち、ファクシミリの省電力動作を制御する省電力制御部と、ファクシミリ装置全体の制御を行うホストＣＰＵと、を有し、省電力動作時には変復調用のＤＳＰを用いずに、通信網の着呼検出制御を行う事を特徴とする。
【００２８】
請求項３のファクシミリ装置では、請求項２のファクシミリ装置と同様の効果を奏するとともに、さらに、通信信号をモニタするディジタル出力端子も半導体ＤＡＡに含ませているから、ファクシミリ通信網の１３００Ｈｚの着信検出に最適な構成とすることができる。
【００２９】
【発明の実施の形態】
本発明の実施の形態について、図を参照して、説明する。図１は、本発明の第１の実施の形態に係るファクシミリ装置の構成を示す図であり、半導体ＤＡＡを用い且つ省エネルギー機能を持つものである。
【００３０】
図１に於いて、ファクシミリ装置は、ＣＰＵ１０１，ＰＲＯＧＲＯＭ１０２、ＤＡＴＥＲＡＭ１０３，操作部１０４，モデムＤＳＰ１０８，省電力動作制御部１１１、電話回線とモデムＤＳＰ１０８との間でインターフェースする半導体ＤＡＡ１２０、及び半導体ＤＡＡ１２０とモデムＤＳＰ１０８との接続を省電力動作制御部１１１側に切り換えるための切替手段１３０から構成されている。なお、読み取り部、書き込み部，圧縮伸張部等は図示省略している。
【００３１】
半導体ＤＡＡ１２０は、従来と同様に電話回線からの着呼検出、電話回線へ発呼処理等の網制御機能と、電話回線と授受するアナログ信号を、モデムＤＳＰ１０８とアイソレートして接続するという、二つの機能を担っている。この為に半導体ＤＡＡ１２０は、一次側回路１２１に網制御監視回路１２２を備えるとともに、二次側回路１２３にモデムＡＦＥ１０９を備えている。図示は省略しているが、モデムＡＦＥ１０９には変復調のためのＡ／Ｄ変換器、Ｄ／Ａ変換器、モデムＤＳＰ１０８との接続のためのディジタルインターフェース（ディジタルＩ／Ｆ）が設けられている。そして、一次側回路１２１と二次側回路１２３とのアイソレーションは、従来のような絶縁トランスでは無く、集積化されたアナログ回路と極めて小型なパルストランスにより構成されたもの、或いはコンデンサと半導体により同様な機能を実現したものが用いられている。
【００３２】
さて、図１の実施の形態では、半導体ＤＡＡ１２０は、通常の状態では切替スイッチ１３０により、モデムＤＳＰ１０８と接続されており、両者間はＣＯＤＥＣＩ/Ｆシリアル信号を用いて送信信号及び受信信号が授受される。
【００３３】
本ファクシミリ装置が省電力モードに移行する際には、ＣＰＵ１０１が省電力動作制御部１１１に指示し、モデムＤＳＰ１０８を含む省電力動作時に電力供給の不要な回路への電源供給を止め、ファクシミリ装置全体の消費電力を低減させる。この際、省電力動作制御部１１１で必要とする信号が接続される操作部１０４などは、最小限の電力で動作を継続している。この時、省電力動作制御部１１１はＣＯＤＥＣ Ｉ／Ｆ切換え制御信号を発生し、切替スイッチ１３０を省電力動作制御部１１１側に切替え、半導体ＤＡＡ１２０のＣＯＤＥＣ Ｉ／Ｆ信号を省電力動作制御部１１１に接続する。
【００３４】
省電力動作制御部１１１は、汎用ＣＯＤＥＣＩ／Ｆからの信号を受信できるシリアルＩ／Ｆを持ち、半導体ＤＡＡ１２０からの網監視状態をモニタし、着信を検出した場合には、ＣＰＵ１０１に対して割込みを発生し、ＣＰＵ１０１がファクシミリ装置全体を、省電力状態から通常動作へと復帰させる。
【００３５】
このように第１の実施の形態によれば、省電力動作時には半導体ＤＡＡ１２０からのＣＯＤＥＣＩ／Ｆシリアル信号を、モデムＤＳＰ１０８ではなく、省電力動作制御部１１１で監視するので、省電力動作時にモデムＤＳＰ１０８の電力を抑制することができ、安価な半導体ＤＡＡを用いてファクシミリ装置のコストを低減させる。
【００３６】
図２は、本発明の第２の実施の形態に係るファクシミリ装置の構成を示す図であり、図１と同様に半導体ＤＡＡを用い且つ省エネルギー機能を持つものである。
【００３７】
図２に於いて、ファクシミリ装置は、ＣＰＵ２０１，ＰＲＯＧＲＯＭ２０２、ＤＡＴＥＲＡＭ２０３，操作部２０４，モデムＤＳＰ２０８，周波数カウンタ２１１ａを持つ省電力動作制御部２１１、電話回線とモデムＤＳＰ２０８との間でインターフェースする半導体ＤＡＡ２２０、及び半導体ＤＡＡ２２０からモニタ用として出力されるアナログ信号を２値化し、２値化ディジタル信号を周波数カウンタ２１１ａに供給する２値化回路２１２、及びモニタスピーカ駆動回路２１３を備えている。なお、読み取り部、書き込み部，圧縮伸張部等は図示省略している。
【００３８】
半導体ＤＡＡ２２０は、図１の半導体ＤＡＡ１２０と同様に、一次側回路２２１に網制御監視回路２２２を備えるとともに、二次側回路２２３にモデムＡＦＥ１０９、モニタ用回路２２４及び、このモニタ用回路のアナログ出力を出力するアナログ出力端子を備えている。図示は省略しているが、モデムＡＦＥ２０９には変復調のためのＡ／Ｄ変換器、Ｄ／Ａ変換器、モデムＤＳＰ２０８との接続のためのディジタルＩ／Ｆが設けられている。そして、一次側回路２２１と二次側回路２２３とのアイソレーションは、従来のような絶縁トランスでは無く、集積化されたアナログ回路と極めて小型なパルストランスにより構成されたもの、或いはコンデンサと半導体により同様な機能を実現したものが用いられている。
【００３９】
半導体ＤＡＡ１２０のモニタ用回路２２４は、通常、発呼中の回線上の呼出し信号等を、ファクシミリ装置の持つスピーカを駆動して操作者が回線の接続を確認するために、二次側回路２２３にアナログ出力を出すものである。本実施の形態では、このアナログ出力をスピーカ駆動回路２１３だけでなく、二値化回路２１２にて適切な閾値を超える振幅の信号を二値化しディジタル信号として周波数カウンタ２１１ａへも供給する。周波数カウンタ２１１ａは、二値化されたディジタル信号の周期を監視し、あらかじめ定められた範囲の周期が、あらかじめ定められた回数だけ連続して検出できた時にのみ、検出と判定する。
【００４０】
さて、図２の実施の形態では、通常の動作状態では、モデムＤＳＰ１０８にも正常に電力が供給されており、半導体ＤＡＡ１２０と接続されて、両者間はＣＯＤＥＣＩ/Ｆシリアル信号を用いて送信信号及び受信信号が授受される。
【００４１】
本ファクシミリ装置が省電力モードに移行する際には、ＣＰＵ２０１が省電力動作制御部２１１に指示し、モデムＤＳＰ２０８を含む省電力動作時に電力供給の不要な回路への電源供給を止め、ファクシミリ装置全体の消費電力を低減させる。この際、省電力動作制御部２１１で必要とする信号が接続される操作部２０４などは、最小限の電力で動作を継続している。
【００４２】
省電力動作中に於いて、ファクシミリ通信網からの１３００Ｈｚのトーン信号による着呼検出があると、半導体ＤＡＡ２２０の一次側回路２２１から二次側回路２２３にアナログ信号の形態のまま伝達される。この１３００Ｈｚのトーン信号がモニタ回路２２４により抽出されて、二次側回路２２３のアナログ信号出力端子から出力される。このアナログ信号出力端子からの１３００Ｈｚのトーン信号は、二値化回路２１２にて適切な閾値を超える振幅の信号を二値化しディジタル信号として周波数カウンタ２１１ａへ入力する。周波数カウンタ２１１ａは、検出判定する為の周期値と、検出と判定すべき回数が、あらかじめ設定されており、二値化されたディジタル信号の周期を監視し、あらかじめ定められた範囲の周期が、あらかじめ定められた回数だけ連続して検出できた時にのみ、検出と判定し、ファクシミリ網からの着信検出としてＣＰＵ２０１に対して割込みを発生し、ＣＰＵ２０１がファクシミリ装置全体を通常動作へと復帰させる。
【００４３】
このように第２実施の形態によれば、半導体ＤＡＡ２２０に設けられた回線モニタ用のアナログ信号出力を利用し、この信号をディジタル信号処理した上で、トーン信号の検出を行うから、省電力動作時にモデムＤＳＰ２０８の動作が抑制されていても、誤検出の無いトーン検出、とりわけファクシミリ通信網の１３００Ｈｚの着信検出を行う事ができ、安価な半導体ＤＡＡを用いてファクシミリ装置のコストを低減させる事ができる。
【００４４】
図３は、本発明の第３の実施の形態に係るファクシミリ装置の構成を示す図であり、図２とは半導体ＤＡＡ３２０が異なるのみであり、他の構成は同様であり、対応する構成要素には同一の符号を付している。
【００４５】
半導体ＤＡＡ３２０では、その二次側回路３２３の内部に、２値化回路２１２を取り込んでいる。これにより、モニタ回路２２４により抽出された１３００Ｈｚのトーン信号は、二値化回路２１２にて適切な閾値を超える振幅の信号を二値化され、半導体ＤＡＡ３２０のディジタル信号出力端子からディジタル信号として出力される。尚、その他の動作などは、図２の第２の実施の形態におけると同様である。
【００４６】
この第３実施の形態によれば、第２の実施の形態におけると同様の効果を奏するとともに、さらに、半導体ＤＡＡ３２０を、トーン信号をモニタするための２値化回路２１２、ディジタル出力端子も備えるように構成しているから、ファクシミリ通信網の１３００Ｈｚの着信検出に最適な構成とすることができる。
【００４７】
【発明の効果】
請求項１のファクシミリ装置では、省電力動作時には半導体ＤＡＡからの信号をモデムＤＳＰではなく、省電力動作制御部で監視するので、省電力動作時にモデムＤＳＰの電力を抑制することができ、安価な半導体ＤＡＡを用いてファクシミリ装置のコストを低減させる事ができる。
【００４８】
請求項２のファクシミリ装置では、回線モニタ用のアナログ信号出力を用いてトーンの検出を行う為に、低電力動作時にモデムＤＳＰの動作が抑制されていても、誤検出の無いトーン検出、とりわけファクシミリ通信網の１３００Ｈｚの着信検出を行う事ができ、安価な半導体ＤＡＡを用いてファクシミリ装置のコストを低減させる事ができる。
【００４９】
請求項３のファクシミリ装置では、請求項２のファクシミリ装置と同様の効果を奏するとともに、さらに、通信信号をモニタするディジタル出力端子も半導体ＤＡＡに含ませているから、ファクシミリ通信網の１３００Ｈｚの着信検出に最適な構成とすることができる。
【図面の簡単な説明】
【図１】本発明の第１の実施の形態に係るファクシミリ装置の構成を示す図。
【図２】本発明の第２の実施の形態に係るファクシミリ装置の構成を示す図。
【図３】本発明の第３の実施の形態に係るファクシミリ装置の構成を示す図。
【図４】従来の省エネルギー機能を持つファクシミリ装置の構成を示す図。
【図５】従来の半導体ＤＡＡを用いたファクシミリ装置の構成を図。
【符号の説明】
１０８，２０８  モデムＤＳＰ
１１１，２１１  省電力動作制御部
２１２  ２値化回路
１２０，２２０，３２０  半導体ＤＡＡ
１２２，２２２  網制御監視回路
１０９，２０９  モデムＡＦＥ
２２４  モニタ用回路
１３０  切換回路
【図１】
0003707600.tif 000002
【図２】
0003707600.tif 000003
【図３】
0003707600.tif 000004
【図４】
0003707600.tif 000005
【図５】
0003707600.tif 000006